(57)【特許請求の範囲】
【請求項１】
切断機のベースの側方へ装着され、前記ベース上の被切断材を載置可能な補助ベースと、その補助ベース上に設けられ、少なくとも一方が前後方向へスライド可能且つ任意のスライド位置で固定可能な前後一対の当接部材とを備え、前記当接部材によって前記被切断材を前記補助ベース上で狭持可能とする一方、前記当接部材の何れか一方に、前記被切断材に当接可能で、その当接状態での回動操作によって前記被切断材を左右方向へ送り可能な転動体を設けたことを特徴とする切断機における被切断材の位置決め装置。
【発明の詳細な説明】
【０００１】
【発明の属する技術分野】
本発明は、被切断材を載置するベースを備えた卓上丸鋸盤等の切断機において、被切断材を切断位置へ位置決めするために用いる位置決め装置に関する。
【０００２】
【従来の技術】
例えば卓上丸鋸盤は、左右に張り出し部を有するベースの中央に、ターンテーブルを張り出し部と同一高さで回動可能に載置して、そのターンテーブルの後部にアームを立設し、アームの先端に、モータ駆動で回転する鋸刃を前後方向に備えた本体を上下動可能に軸支してなる。また、ベースの張り出し部間には、前面にガイド面を有するガイドフェンスが左右方向に立設されて、切断の際には被切断材をガイドフェンスのガイド面に押し当てて固定可能となっているが、特にガイドフェンスには、被切断材の安定のために、ネジ送りによって被切断材を上方から押圧可能な縦バイス装置等が設けられている。
【０００３】
【発明が解決しようとする課題】
ところで、被切断材がベースの幅を超えて左右方向に突出する長尺材の場合、鋸刃による切断位置に被切断材の墨線を正確に合わせるのが難しく、被切断材の位置決めに時間や手間がかかり、作業性の低下を招いてしまう。このような長尺材のために、ベースの張り出し部の側面にロッドを連結したり、或いはそのロッドに、上面がベース上面と同一高さのホルダプレートを設けたりして、ベース側方で長尺材を支持させることがあるが、これらは被切断材を載置する構造に過ぎないから、位置決めの面倒さは変わらない。
【０００４】
そこで、請求項１に記載の発明は、長尺の被切断材を切断する場合でも切断位置へ被切断材を簡単に位置決めできる切断機における被切断材の位置決め装置を提供することを目的としたものである。
【０００５】
【課題を解決するための手段】
上記目的を達成するために、請求項１に記載の発明は、切断機のベースの側方へ装着され、ベース上の被切断材を載置可能な補助ベースと、その補助ベース上に設けられ、少なくとも一方が前後方向へスライド可能且つ任意のスライド位置で固定可能な前後一対の当接部材とを備え、当接部材によって被切断材を補助ベース上で狭持可能とする一方、当接部材の何れか一方に、被切断材に当接可能で、その当接状態での回動操作によって被切断材を左右方向へ送り可能な転動体を設けたことを特徴とするものである。
【０００６】
【発明の実施の形態】
以下、本発明の実施の形態を図面に基づいて説明する。
図１は、切断機としての卓上丸鋸盤に設けられた位置決め装置の平面図、図２はその側面図、図３は正面図である。１は卓上丸鋸盤のベースで、前後方向（同図の右側を前方とする）に鋸刃を備えた本体を支持するターンテーブル２を中央で水平回動可能に載置し、その左右両側には、上面がターンテーブル２の上面と同一高さとなる張り出し部３，３が延設されている。また、左右の張り出し部３，３間には、ターンテーブル２上を横切る格好でガイドフェンス４が左右方向に立設され、ガイドフェンス４の前方には、ターンテーブル２の上面と垂直なガイド面５が形成されている。
【０００７】
６は本発明の位置決め装置で、一方の張り出し部３の側面へ左右方向に挿着される一対の平行なロッド７，７と、そのロッド７，７に直交状に遊挿されてロッド７，７に沿ってスライド可能な補助ベース８とを備える。補助ベース８は、前後方向に長い四角筒形状を呈し、その下面に螺合した一対のツマミネジ９，９をねじ込んでその先端で夫々ロッド７，７を押圧することで、補助ベース８を任意のスライド位置で固定可能となっている。また、補助ベース８は、ロッド７，７への連結状態でその上面が張り出し部３と同一高さとなるように設定されており、補助ベース８の下面には、下端に円形のツマミ部１１を固着した調整ボルト１０，１０が螺合されて、ツマミ部１１の回動操作による調整ボルト１０のネジ送りで、補助ベース８の高さが微調整可能となっている。
【０００８】
また、補助ベース８の上面で後方側には、前面がガイドフェンス４のガイド面５と同一面上に位置する当接部材としての後プレート１２がボルト１３，１３で固定されている。但し、後プレート１２におけるボルト１３，１３の貫通孔１４，１４は、前後方向に長孔となって、後プレート１２の微調整を可能としている。
一方、後プレート１２の前方側には、同じく当接部材として前プレート１５が設けられている。この前プレート１５は、補助ベース８の上面で前端から後方へ向けて凹設される凹溝１６内に嵌合するベース部１７を有し、そのベース部１７の後端を直角に立ち上げる格好で形成されて、後面に後プレート１２の前面と平行な押圧面１８を有している。ベース部１７の中央には、前後方向にスライド孔１９が穿設され、そのスライド孔１９を貫通するツマミネジ２０が補助ベース８の前方でねじ込まれていることから、前プレート１５は、スライド孔１９内をツマミネジ２０が相対移動できる範囲で図１の二点鎖線で示すように前後方向へスライド可能となり、ツマミネジ２０のねじ込みにより、任意のスライド位置で固定可能となっている。
【０００９】
そして、前プレート１５の中央には、窓２１が形成され、その窓２１の上方に、支持片２２が後方へ水平に折曲形成されて、支持片２２とベース部１７との間に、転動体としてゴム製のローラ２３が回動可能に軸支されている。このローラ２３は、中心に固着されるピン２４が、支持片２２とベース部１７とに夫々上下方向で同じ位置に穿設された長孔２５，２５内に遊挿することで、ベース部１７上で上下方向に軸支されるもので、その姿勢のまま、長孔２５内をピン２４が移動できる範囲で前後方向へ移動可能となっている。すなわち、後退位置では、窓２１からローラ２３の一部が前プレート１８の押圧面１８を越えて後方へ突出し、前進位置では、ローラ２３が押圧面１８より前方へ移動する設定としたものである。
【００１０】
以上の如く構成された位置決め装置６においては、被切断材Ｗが卓上丸鋸盤の張り出し部３よりも外側へ突出する長尺材の場合、前プレート１５のツマミネジ２０を緩めて前プレート１５をスライドフリーとした状態で、被切断材Ｗを、切断位置を墨線に合わせてベース１のターンテーブル２と張り出し部３及び補助ベース８の上にセットする。補助ベース８の後プレート１２と卓上丸鋸盤のガイドフェンス４とは、左右方向へ同一面に位置しているから、被切断材Ｗをガイドフェンス４と後プレート１２とを利用して後方側へ位置決めできる。次に、前プレート１５を後方へスライドさせて、押圧面１８を被切断材Ｗの前面へ当接させ、その状態でローラ２３を指で後方へ押圧すれば、ローラ２３が窓２１を通して被切断材Ｗの前面に当接する。よって、そのままローラ２３を図１の矢印に示すように任意の方向へ回転させれば、ローラ２３の送りによって被切断材Ｗを左右方向へ微動させて、墨線を切断位置に合わせることができる。
位置決めが終了した後、ツマミネジ２０を締め付ければ、被切断材Ｗは補助ベース８上で前プレート１８と後プレート１２とによって狭持固定される。
【００１１】
このように上記形態の位置決め装置６によれば、ベース１の側方へ装着され、被切断材Ｗを載置可能な補助ベース８と、その補助ベース８上に設けられる前後一対の前プレート１８と後プレート１２とを備え、両プレート１２，１８によって被切断材Ｗを補助ベース８上で狭持可能とする一方、前プレート１８に、被切断材Ｗへ当接可能で、その当接状態での回動操作によって被切断材Ｗを左右方向へ送り可能なローラ２３を設けたことで、ローラ２３を利用して被切断材Ｗを左右へ微動させて切断位置への微調整が可能となる。よって、切断位置へ墨線を迅速且つ正確に合わせることができ、作業性の一層の向上が期待できる。
【００１２】
なお、位置決め装置は、上記形態ではベースの左側にのみ設けているが、左右両側に設けることも可能である。また、ローラは１つに限らず、被切断材に当接可能なローラを左右方向へ２つ並設し、その２つのローラへ同時に当接する回動操作用の３つめのローラを設ける等、複数とすることもできる。勿論転動体としてはローラに限らず、ボールを利用することもできる。さらに、当接部材は、上記形態のようなプレート状に限らず、被切断材を狭持可能であれば、ローラやピン形状を採用しても良い。
そして、当接部材のスライド形態も、転動体が取付可能であれば、棒状体や筒状体を採用して差し支えないし、他方の当接部材側へ付勢する付勢手段を設けることもできる。また、本発明の位置決め装置は、卓上丸鋸盤にとどまらず、鋼材切断用の切断機にも採用可能である。
【００１３】
【発明の効果】
請求項１に記載の位置決め装置によれば、前記補助ベースと前後一対の当接部材とを備え、当接部材によって被切断材を補助ベース上で狭持可能とする一方、当接部材の何れか一方に、被切断材へ当接可能で、その当接状態での回動操作によって被切断材を左右方向へ送り可能な転動体を設けたことで、転動体を利用して被切断材を左右へ微動させて切断位置への微調整が可能となる。よって、切断位置へ墨線を迅速且つ正確に合わせることができ、作業性の一層の向上が期待できる。
【図面の簡単な説明】
【図１】位置決め装置の平面図である。
【図２】位置決め装置の側面図である。
【図３】位置決め装置の正面図である。
【符号の説明】
１・・ベース、３・・張り出し部、４・・ガイドフェンス、６・・位置決め装置、７・・ロッド、８・・補助ベース、１２・・後プレート、１５・・前プレート、１７・・ベース部、１８・・押圧面、１９・・スライド孔、２１・・窓、２３・・ローラ。
【図１】
0004063542.tif 000002
【図２】
0004063542.tif 000003
【図３】
0004063542.tif 000004